(57)【要約】      （修正有）【課題】精度が高く、低周波の信号を増幅し、音響の入力効率を高めたスピーカー。【解決手段】突出部が形成された側面に対向する側面の外周端縁部の外側を被覆するように設ける円筒形の銅線と、突出部にはんだ接続して内壁に導電用の端子を粘着固定し、端子が外側に露出する管体からなる音響ユニットと、弾性のプラスチックと軽金属からなり、音響フレームに粘着固定される振動膜と、金属からなる円形で中空のリング状に形成され、音響フレームに嵌設され、振動膜に粘着して設けられるフランジからなり、磁性ユニットが、中心孔を具えた薄型フィルムと、薄型フィルムの側面に設けられ薄型の磁鉄とを含み、マグネタイザーで磁性を補うと強力な磁性を具えた薄型磁鉄ユニットと、中心孔を具えた厚型フィルムと、厚型の磁鉄とを含み、両者を加圧粘着して形成し、マグネタイザーで磁力を補うと強力な磁性を具える厚型磁鉄ユニットと、中心孔を具えた中空の円筒形で、中心孔が同じ位置になるように設けるベースとを含む。【選択図】図８
0003130826.tif 000002
【実用新案登録請求の範囲】
【請求項１】
振動体と磁性ユニットとを組み合わせてなるスピーカーであって、
該振動体が音響ユニットと、振動膜と、フランジとを含んでなり、
該音響ユニットが外周面の一部が上方に突出した突出部を具えてなる音響フレームと、該突出部が形成された側面に対向する側面の外周端縁部の外側を被覆するように設ける円筒形の銅線と、該突出部にはんだ接続され、内壁に導電用の端子を粘着固定し、該端子が外側に露出して設けられる管体とを含んでなり、
該振動膜が弾性のプラスチックと軽金属からなり、音響フレームと互いに粘着固定され、
該フランジが金属からなる円形で中空のリング状に形成され、音響フレームに嵌設され、振動膜に粘着して一体に設けられ、
該磁性ユニットが薄型磁鉄ユニットと、厚型磁鉄ユニットと、磁性ベースとを含んでなり、
該薄型磁鉄ユニットが中心孔を具えた薄型フィルムと該薄型フィルムの側面に設ける薄型の磁鉄とを含んでなり、薄型フィルムと磁鉄とが圧力を加えられて粘着して組み合わせて形成され、マグネタイザーなどで磁性を補うと強力な磁性を具えてなり、
該厚型磁鉄ユニットが中心孔を具えた厚型フィルムと、厚型の磁鉄とを含んでなり、該厚型フィルムと磁鉄とが圧力を加えて粘着して組み合わせて形成され、マグネタイザーなどを利用して磁力を補い、強力な磁性を具えてなり、
該ベースが中心孔を具えた中空の円筒形であって、一側面に開口が形成されたカバーとして接着剤で粘着して内側に厚・薄型磁鉄ユニットの順に、中心孔が同じ位置になるように設けることを特徴とするスピーカー。
【請求項２】
前記音響フレームが軟性のプラスチックから形成され、成型前にはダブルのＴ字型を呈することを特徴とする請求項１に記載のスピーカー。
【請求項３】
前記音響フレームの一端を被覆する銅線が多層に並べて形成されることを特徴とする請求項１に記載のスピーカー。
【請求項４】
前記厚・薄型磁鉄ユニットがベース内に嵌設して設けられるとともに、それぞれの外周面と適宜な空間を具えて接触しないことを特徴とする請求項１に記載のスピーカー。
【考案の詳細な説明】
【技術分野】
【０００１】
この考案は、スピーカーに関し、特に音楽や音響などを振動に変えて人に聞こえるような可聴音に変換するスピーカーに関する。
【背景技術】
【０００２】
小型スピーカーに使用する部品は、中・大型スピーカーに使用される部品と略変わらず、サイズが若干異なるだけである。スピーカーは通常、振動膜、リング、波状の位置決めフィルム、音響フレーム、銅線ユニット、ワイヤーユニット、磁鉄ブロック、磁極ブロック、銅線、フレーム、ケースなど約１０種類の部品を含んでなる。また、操作原理は、電磁（荷）などを利用して互いに吸収、もしくは互いに反発する力で振動膜を動かし、空気を振動させて人が聞くことのできる可聴音にする。即ち、スピーカーは単純な電気信号を音声に転換する機械であって、その原理と部品は簡単であるが、音声を正確に再生することは難しい。
【０００３】
ノートブック型コンピュータ、携帯電話、個人用の携帯情報端末（Ｐｅｒｓｏｎａｌ  Ｄｉｇｉｔａｌ  Ａｓｉｓｔ）、言語学習装置など個人用の様々な電子製品には小型のスピーカーが基本設備に必ず設けられている。特に小型で軽量な薄型のデザインが求められている中で、品質に対する要求も次第に厳しくなってきている。体積が小さいだけでなく、音質もよく、高い効率を具えているなど市場における要求に対応するため、部品の材料の選択及び構造の設計が適宜に変更されている。また、これは現在の小型スピーカーに構造や効率を改善する余地が残されれていることを示している。
【考案の開示】
【考案が解決しようとする課題】
【０００４】
この考案は、精度が高く、低周波の信号を増幅し、音響の入力効率を高めたスピーカーを提供することを課題とする。
【課題を解決するための手段】
【０００５】
そこで、本考案者は従来の技術に見られる欠点に鑑みて鋭意研究を重ねた結果、振動体と磁性ユニットとを組み合わせてなるスピーカーであって、
該振動体が音響ユニットと、振動膜と、フランジとを含んでなり、
該音響ユニットが外周面の一部が上方に突出した突出部を具えてなる音響フレームと、該突出部が形成された側面に対向する側面の外周端縁部の外側を被覆するように設ける円筒形の銅線と、該突出部にはんだ接続され、内壁に導電用の端子を粘着固定し、該端子が外側に露出して設けられる管体とを含んでなり、
該振動膜が弾性のプラスチックと軽金属からなり、音響フレームと互いに粘着固定され、
該フランジが金属からなる円形で中空のリング状に形成され、音響フレームに嵌設され、振動膜に粘着して一体に設けられ、
該磁性ユニットが薄型磁鉄ユニットと、厚型磁鉄ユニットと、磁性ベースとを含んでなり、
該薄型磁鉄ユニットが中心孔を具えた薄型フィルムと該薄型フィルムの側面に設ける薄型の磁鉄とを含んでなり、薄型フィルムと磁鉄とが圧力を加えられて粘着して組み合わせて形成され、マグネタイザーなどで磁性を補うと強力な磁性を具えてなり、
該厚型磁鉄ユニットが中心孔を具えた厚型フィルムと、厚型の磁鉄とを含んでなり、該厚型フィルムと磁鉄とが圧力を加えて粘着して組み合わせて形成され、マグネタイザーなどを利用して磁力を補い、強力な磁性を具えてなり、
該ベースが中心孔を具えた中空の円筒形であって、一側面に開口が形成されたカバーとして接着剤で粘着して内側に厚・薄型磁鉄ユニットの順に、中心孔が同じ位置になるように設けるスピーカーの構造によって課題を解決できる点に着眼し、かかる知見に基づいて本考案を完成させた。
【０００６】
以下、この考案について具体的に説明する。
請求項１に記載のスピーカーは、振動体と磁性ユニットとを組み合わせてなるスピーカーであって、
該振動体が音響ユニットと、振動膜と、フランジとを含んでなり、
該音響ユニットが外周面の一部が上方に突出した突出部を具えてなる音響フレームと、該突出部が形成された側面に対向する側面の外周端縁部の外側を被覆するように設ける円筒形の銅線と、該突出部にはんだ接続され、内壁に導電用の端子を粘着固定し、該端子が外側に露出して設けられる管体とを含んでなり、
該振動膜が弾性のプラスチックと軽金属からなり、音響フレームと互いに粘着固定され、
該フランジが金属からなる円形で中空のリング状に形成され、音響フレームに嵌設され、振動膜に粘着して一体に設けられ、
該磁性ユニットが薄型磁鉄ユニットと、厚型磁鉄ユニットと、磁性ベースとを含んでなり、
該薄型磁鉄ユニットが中心孔を具えた薄型フィルムと該薄型フィルムの側面に設ける薄型の磁鉄とを含んでなり、薄型フィルムと磁鉄とが圧力を加えられて粘着して組み合わせて形成され、マグネタイザーなどで磁性を補うと強力な磁性を具えてなり、
該厚型磁鉄ユニットが中心孔を具えた厚型フィルムと、厚型の磁鉄とを含んでなり、該厚型フィルムと磁鉄とが圧力を加えて粘着して組み合わせて形成され、マグネタイザーなどを利用して磁力を補い、強力な磁性を具えてなり、
該ベースが中心孔を具えた中空の円筒形であって、一側面に開口が形成されたカバーとして接着剤で粘着して内側に厚・薄型磁鉄ユニットの順に、中心孔が同じ位置になるように設ける。
【０００７】
請求項２に記載のスピーカーは、  請求項１に記載の音響フレームが軟性のプラスチックから形成され、成型前にはダブルのＴ字型を呈する。
【０００８】
請求項３に記載のスピーカーは、  請求項１に記載の音響フレームの一端を被覆する銅線が多層に並べて形成される。
【０００９】
請求項４に記載のスピーカーは、  請求項１に記載の厚・薄型磁鉄ユニットがベース内に嵌設して設けられるとともに、それぞれの外周面と適宜な空間を具えて接触しない。
【考案の効果】
【００１０】
この考案によるスピーカーは、精度の高い、臨場感溢れる音響を再生するという効果を有する。
【考案を実施するための最良の形態】
【００１１】
この考案は、精度が高く、低周波の信号を増幅し、音響の入力効率を高めたスピーカーであって、振動体と磁性ユニットとを組み合わせてなるスピーカーであって、
該振動体が音響ユニットと、振動膜と、フランジとを含んでなり、
該音響ユニットが外周面の一部が上方に突出した突出部を具えてなる音響フレームと、該突出部が形成された側面に対向する側面の外周端縁部の外側を被覆するように設ける円筒形の銅線と、該突出部にはんだ接続され、内壁に導電用の端子を粘着固定し、該端子が外側に露出して設けられる管体とを含んでなり、
該振動膜が弾性のプラスチックと軽金属からなり、音響フレームと互いに粘着固定され、
該フランジが金属からなる円形で中空のリング状に形成され、音響フレームに嵌設され、振動膜に粘着して一体に設けられ、
該磁性ユニットが薄型磁鉄ユニットと、厚型磁鉄ユニットと、磁性ベースとを含んでなり、
該薄型磁鉄ユニットが中心孔を具えた薄型フィルムと該薄型フィルムの側面に設ける薄型の磁鉄とを含んでなり、薄型フィルムと磁鉄とが圧力を加えられて粘着して組み合わせて形成され、マグネタイザーなどで磁性を補うと強力な磁性を具えてなり、
該厚型磁鉄ユニットが中心孔を具えた厚型フィルムと、厚型の磁鉄とを含んでなり、該厚型フィルムと磁鉄とが圧力を加えて粘着して組み合わせて形成され、マグネタイザーなどを利用して磁力を補い、強力な磁性を具えてなり、
該ベースが中心孔を具えた中空の円筒形であって、一側面に開口が形成されたカバーとして接着剤で粘着して内側に厚・薄型磁鉄ユニットの順に、中心孔が同じ位置になるように設けるスピーカーの構造と特徴を詳述するために具体的な実施例を挙げ、図示を参照にして以下に説明する。
【実施例】
【００１２】
図１から３は、この考案のスピーカーを示した説明図である。図面によれば、スピーカー１は、振動体１０と、磁性ユニット２０との２つの部分から構成される。
【００１３】
該振動体１０は、音響ユニット１１と、振動膜１２と、フランジ１３と、を含んでなる。
【００１４】
該音響ユニット１１は、外周側面の一部が上方に突出した突出部１１２を具えてなる軟性で円筒形の音響フレーム１１１と、該音響フレーム１１１の内径よりも大きな内径を具え、音響フレーム１１１の外周側面の端縁部を被覆するように、突出部１１２が形成されていない側面に設ける中空の円筒形の銅線１１３と、該突出部１１２にはんだ接続され、内壁に導電用の端子１１４を粘着固定する管体１１５と、を含んでなる。また、該端子１１４が管体１１５の外周面から外側に露出する。
【００１５】
該振動膜１２は、外側に設けられた内径が比較的大きい弾性プラスチックフィルム１２１と、該弾性プラスチックフィルム１２１の内側に設けられ、弾性プラスチックフィルム１２１よりも内径が小さく形成された軽金属１２２とを具えてなり、且つ該音響ユニット１１に粘着して接続される。
【００１６】
該フランジ１３は、金属からなり、円形で中空のリング状に形成され、音響ユニット１１に嵌設され、振動膜１２に粘着して一体に設けられる。
【００１７】
磁性ユニット２０は、薄型磁鉄ユニット２１と、厚型磁鉄ユニット２２と、磁性のベース２３とを含んでなる。
【００１８】
該薄型磁鉄ユニット２１は、中心孔２１３を具えた薄型フィルム２１１と、該薄型フィルム２１１の側面に設ける薄型の磁鉄２１２とを含んでなる。該薄型フィルム２１１と磁鉄２１２とは、圧力を加えて粘着して組み合わせて形成し、マグネタイザーなどを利用して磁力を補うと、強力な磁性を具えてなる。
【００１９】
該厚型磁鉄ユニット２２は、中心孔２２３を具えた厚型フィルム２２１と、厚型の磁鉄２２２とを含んでなる。該厚型フィルム２２１と磁鉄２２２は圧力を加えて粘着して組み合わせて形成し、マグネタイザーなどを利用して磁力を補うと、強力な磁性を具えてなる。
【００２０】
該ベース２３は、中心を具えた中空の円筒形であって、一側面に開口が形成された外側のカバーとなり、接着剤で粘着して内側に厚・薄型磁鉄ユニット２２、２１の順に設けてなり、且つ厚・薄型磁鉄ユニット２２、２１とベース２３の中心孔が同じ位置になるように設けられる。また、厚・薄型磁鉄ユニット２２、２１とベース２３はそれぞれの外周面との間に適宜な空間を具えて、互いに接触しないように設ける。
【００２１】
図４から６は、この考案のスピーカーの音響フレームを示した説明図である。  図４に開示するように、音響フレーム１１１は成型前、ダブルのＴ字状を呈し、中間層に導線が印刷された軟性のプラスチックから形成され、損壊し難いという効果を有する。また、一側面の適宜な位置から上方に突出した導電用の端子１１４にはんだ接続するために便利な突出部１１２が形成される。図５に開示するように、該音響フレーム１１１はダブルのＴ字状の軟性のプラスチックの両端を合わせて円筒形に成型した後、突出部１１２を円筒形の内側にむけて折り曲げ、且つ末端を導電用の端子１１４にはんだ接続して管体１１５の内壁に粘着して固定し、端子１１４が管体１１５の端縁部から外側に露出するように設けて電源に接続し易いように形成する。
【００２２】
図６に開示するように、該音響フレーム１１１は、突出部１１２の外周端縁部に複数層にまかれた銅線１１３を具えてなる。この実施例においては４層に巻かれた銅線１１３を開示するとともに、それぞれの層の銅線１１３がいずれも並列に並んだ状態に巻かれている。
【００２３】
図７は、この考案のスピーカーの外観を示した斜視図であって、図８は、この考案のスピーカーの断面図である。図面によれば、上述の部品を組み合わせて形成する考案のスピーカー１は、外観が精巧で小型で美しく、小型、軽量、薄型であるというデザインを満たしている。また、金属とプラスチックフィルムを組み合わせたダブルの層の材質からなる振動膜、ダブルのＴ型のプラスチックフィルムから形成された音響フレーム、４層に並列した銅線ユニット、薄・厚型磁鉄ユニットから構成される磁性ユニットなどは音響の変換効率を高め、再生の品質を高める。
【００２４】
上述の説明によれば、この考案のスピーカーは特殊な材質とデザインから形成され、軽量で、薄く、小型である外観を具えてなり、出力効率を高めるとともに、音響の精度を高め、低周波音を増幅させて臨場感溢れる音質を再生する。
【００２５】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００２６】
【図１】この考案のスピーカーの構造を示した説明図である。
【図２】この考案のスピーカーの振動体を示した説明図である。
【図３】この考案のスピーカーの磁性ユニットを示した説明図である。
【図４】この考案のスピーカーの音響フレームを示した説明図である。
【図５】この考案のスピーカーの音響フレームを成型した状態を示した説明図である。
【図６】この考案のスピーカーの音響フレームを示した説明図である。
【図７】この考案のスピーカーの外観を示した斜視図である。
【図８】この考案のスピーカーを示した分解図である。
【符号の説明】
【００２７】
１ スピーカー
１０     振動体
１１     音響ユニット
１１１   音響フレーム
１１２   突出部
１１３   銅線
１１４   端子
１１５   管体
１２     振動膜
１２１   弾性プラスチックフィルム
１２２   軽金属
１３     フランジ
２０     磁性ユニット
２１     薄型磁鉄ユニット
２１１   薄型フィルム
２１２   磁鉄
２１３   中心孔
２２     厚型磁鉄ユニット
２２１   厚型フィルム
２２２   磁鉄
２２３   中心孔
２３     ベース
２３１   中心孔
【図１】
0003130826.tif 000003
【図２】
0003130826.tif 000004
【図３】
0003130826.tif 000005
【図４】
0003130826.tif 000006
【図５】
0003130826.tif 000007
【図６】
0003130826.tif 000008
【図７】
0003130826.tif 000009
【図８】
0003130826.tif 000010